(57)【要約】【課題】空調システムの省エネ性を正しく評価する。【解決手段】制御対象室９の室内エンタルピと制御対象室９へ供給される調和空気の給気エンタルピと制御対象室９へ供給される調和空気の供給量とから室内負荷を算出する（室内負荷＝｜室内エンタルピ−室外エンタルピ｜×給気風量）。算出した室内負荷と熱源機（熱源機１），熱源補機（１次ポンプ２）および空調機（空調機１２）でのエネルギーの使用量の合計値（１次エネルギー換算値）とに基づいて空調システムの総合効率を演算する（空調システムの総合効率＝Σ室内負荷／Σ（熱源機でのエネルギーの使用量＋熱源補機でのエネルギーの使用量＋空調機でのエネルギーの使用量））。【選択図】  図１
2012042129.tif 000002
【特許請求の範囲】
【請求項１】
冷温水を生成する熱源機と、この熱源機に対して補機として設けられた熱源補機と、前記熱源機からの冷温水の供給を受けて制御対象室に調和空気を供給する空調機とを備えた空調システムに用いられ、この空調システムの評価指標として総合効率を演算する空調システムの総合効率演算装置であって、
少なくとも前記制御対象室の室内温度と前記制御対象室へ供給される調和空気の温度と前記制御対象室へ供給される調和空気の供給量とから前記制御対象室の室内負荷を算出する室内負荷算出手段と、
前記室内負荷算出手段によって算出された室内負荷と前記熱源機，前記熱源補機および前記空調機でのエネルギーの使用量の合計値とに基づいて前記空調システムの総合効率を演算する総合効率演算手段と
を備えることを特徴とする空調システムの総合効率演算装置。
【請求項２】
請求項１に記載された空調システムの総合効率演算装置において、
前記室内負荷算出手段は、
前記制御対象室の室内エンタルピと前記制御対象室へ供給される調和空気の給気エンタルピと前記制御対象室へ供給される調和空気の供給量とから前記制御対象室の室内負荷を算出する
ことを特徴とする空調システムの総合効率演算装置。
【請求項３】
請求項２に記載された空調システムの総合効率演算装置において、
前記室内負荷算出手段は、
前記制御対象室の室内温度と室内湿度とから前記室内エンタルピを求め、前記制御対象室へ供給される調和空気の温度と湿度とから前記給気エンタルピを求める
ことを特徴とする空調システムの総合効率演算装置。
【請求項４】
請求項２に記載された空調システムの総合効率演算装置において、
前記室内負荷算出手段は、
前記制御対象室の室内温度を前記室内エンタルピの代用として用い、前記制御対象室へ供給される調和空気の温度を前記給気エンタルピの代用として用いる
ことを特徴とする空調システムの総合効率演算装置。
【請求項５】
請求項１〜４の何れか１項に記載された空調システムの総合効率演算装置において、
前記空調システム内に前記熱源機、前記熱源補機、前記空調機、前記制御対象室が複数存在する場合、
前記室内負荷算出手段は、
前記制御対象室毎の室内負荷を積算して前記空調システム内の室内負荷の合計値を算出し、
前記総合効率演算手段は、
前記室内負荷算出手段によって算出された室内負荷の合計値と前記熱源機，前記熱源補機および前記空調機でのエネルギーの使用量の合計値とに基づいて前記空調システムの総合効率を演算する
ことを特徴とする空調システムの総合効率演算装置。
【請求項６】
冷温水を生成する熱源機と、この熱源機に対して補機として設けられた熱源補機と、前記熱源機からの冷温水の供給を受けて制御対象室に調和空気を供給する空調機とを備えた空調システムに適用され、この空調システムの評価指標として総合効率を演算する空調システムの総合効率演算方法であって、
少なくとも前記制御対象室の室内温度と前記制御対象室へ供給される調和空気の温度と前記制御対象室へ供給される調和空気の供給量とから前記制御対象室の室内負荷を算出する室内負荷算出ステップと、
前記室内負荷算出ステップによって算出された室内負荷と前記熱源機，前記熱源補機および前記空調機で使用されたエネルギーの使用量の合計値とに基づいて前記空調システムの総合効率を演算する総合効率演算ステップと
を備えることを特徴とする空調システムの総合効率演算方法。
【請求項７】
請求項６に記載された空調システムの総合効率演算方法において、
前記室内負荷算出ステップは、
前記制御対象室の室内エンタルピと前記制御対象室へ供給される調和空気の給気エンタルピと前記制御対象室へ供給される調和空気の供給量とから前記制御対象室の室内負荷を算出する
ことを特徴とする空調システムの総合効率演算方法。
【請求項８】
請求項７に記載された空調システムの総合効率演算方法において、
前記室内負荷算出ステップは、
前記制御対象室の室内温度と室内湿度とから前記室内エンタルピを求め、前記制御対象室へ供給される調和空気の温度と湿度とから前記給気エンタルピを求める
ことを特徴とする空調システムの総合効率演算方法。
【請求項９】
請求項７に記載された空調システムの総合効率演算方法において、
前記室内負荷算出ステップは、
前記制御対象室の室内温度を前記室内エンタルピの代用として用い、前記制御対象室へ供給される調和空気の温度を前記給気エンタルピの代用として用いる
ことを特徴とする空調システムの総合効率演算方法。
【請求項１０】
請求項６〜９の何れか１項に記載された空調システムの総合効率演算方法において、
前記空調システム内に前記熱源機、前記熱源補機、前記空調機、前記制御対象室が複数存在する場合、
前記室内負荷算出ステップは、
前記制御対象室毎の室内負荷を積算して前記空調システム内の室内負荷の合計値を算出し、
前記総合効率演算ステップは、
前記室内負荷算出ステップによって算出された室内負荷の合計値と前記熱源機，前記熱源補機および前記空調機で使用されたエネルギーの使用量の合計値とに基づいて前記空調システムの総合効率を演算する
ことを特徴とする空調システムの総合効率演算方法。
【発明の詳細な説明】
【技術分野】
【０００１】
この発明は、室内負荷から空調システムの総合効率を演算する空調システムの総合効率演算装置および方法に関するものである。
【背景技術】
【０００２】
従来より、熱源のエネルギー消費量を評価する指標として、熱源の総合効率という指標が用いられている（例えば、非特許文献１参照）。この熱源の総合効率は、下記の（１）式で表される。
熱源の総合効率（ζ）＝熱源で処理した熱量／（熱源エネルギー使用量＋熱源補機エネルギー使用量）・・・・(１)
【０００３】
なお、この(１)式において、熱源機をガス式とした場合、熱源エネルギー使用量は熱源機でのガスの消費量を１次エネルギーに換算した値とされ、熱源補機エネルギー使用量は熱源機・１次ポンプ・冷却水ポンプなどでの電気の消費量を１次エネルギーに換算した値とされる。
【０００４】
一方、最近のオフィスビルなどでは、ＯＡ機器の増加や断熱性能の向上により、冬期でも冷風を必要とする建物が多い。そこで、冬期や中間期など、外気を利用して冷房を行うことが考えられている。図１０，図１１に従来の空調システムの一例を示す。図１０は外気冷房を実施することができない空調システムの一例であり、図１１は外気冷房を実施することが可能な空調システムの一例である。
【０００５】
〔外気冷房を実施することができない空調システム〕
図１０において、１は冷温水を生成するガス式の熱源機（冷温水機）、２は熱源機１の冷温水の循環通路に補機として設けられた１次ポンプ、３は往ヘッダ、４は往水管路、５は熱源機１から往ヘッダ３を介し往水管路４を通して送られてくる冷温水の供給を受けるＦＣＵ（ファンコイルユニット）、６は還水管路、７はＦＣＵ５において熱交換され還水管路６を通して送られてくる冷温水が戻される還ヘッダ、８は往ヘッダ３と還ヘッダ７とを連通させるバイパス管路、９はＦＣＵ５からの調和空気の供給を受ける制御対象室、１０は制御対象室１０の室内温度を計測する温度センサ、１１は空調制御装置である。ＦＣＵ５は冷温水コイル５−１とファン５−２と冷温水弁５−３とを備えている。
【０００６】
この空調システムにおいて、１次ポンプ２により圧送された還水は、熱源機１により所要の温度の冷温水とされ、往ヘッダ３へ至り、往水管路４を通してＦＣＵ５へ送られる。そして、ＦＣＵ５において、熱交換され、還水管路６を通して還ヘッダ７に戻され、再び１次ポンプ２によって圧送され、以上の経路を循環する。
【０００７】
また、空調制御装置１１は、温度センサ１０からの室内温度の計測値ｔｐｖを入力とし、この室内温度の計測値ｔｐｖを設定温度ｔｓｐに一致させるように、ＦＣＵ５における冷温水弁５−３の開度およびファン５−２へのインバータ出力（ＩＮＶ出力）を制御する。すなわち、冷温水コイル５−１に供給される熱源機１からの冷温水の量およびファン５−２の回転数を制御し、制御対象室９へ供給されるＦＣＵ５からの調和空気の温度（給気温度）および調和空気の供給量（給気風量）を制御する。また、現在の負荷状況に応じて、熱源機１に対して運転モードの指示（冷／温モードの指示）および起動／停止の指示を送る。１次ポンプ２は熱源機１と連動して起動／停止する。
【０００８】
〔外気冷房を実施可能な空調システム〕
図１１において、１２は空調機、１３は冷温水弁、１４は外気ダンパ、１５は還気ダンパ、１６は空調制御装置である。空調機１２は冷温水コイル１２−１とファン１２−２とを備えている。空調機１２には、外気ダンパ１４を介して外気ＯＡが取り込まれ、還気ダンパ１５を介して制御対象室９から戻される還気ＲＡが取り込まれる。なお、図１０と同一符号は図１０を参照して説明した構成要素と同一或いは同等構成要素を示し、その説明は省略する。
【０００９】
この空調システムにおいて、１次ポンプ２により圧送された還水は、熱源機１により所要の温度の冷温水とされ、往ヘッダ３へ至り、往水管路４を通して空調機１２へ送られる。そして、空調機１２において、熱交換され、還水管路６を通して還ヘッダ７に戻され、再び１次ポンプ２によって圧送され、以上の経路を循環する。
【００１０】
また、空調制御装置１６は、温度センサ１０からの室内温度の計測値ｔｐｖを入力とし、この室内温度の計測値ｔｐｖを設定温度ｔｓｐに一致させるように、冷温水弁１３の開度およびファン１２−２へのインバータ出力（ＩＮＶ出力）を制御する。すなわち、冷温水コイル１２−１に供給される熱源機１からの冷温水の量およびファン１２−２の回転数を制御し、制御対象室９へ供給される空調機１２からの調和空気の温度（給気温度）および調和空気の供給量（給気風量）を制御する。
【００１１】
また、空調制御装置１６は、外気の温度ｔｏｕｔを入力とし、外気冷房が可能であるか否かを判断する。外気冷房が可能であると判断した場合、外気ダンパ１４および還気ダンパ１５の開度を制御することによって、空調機１２への外気と還気との混合率を調整し、冷涼な外気を利用して冷房を行う。また、現在の負荷状況に応じて、熱源機１に対して運転モードの指示（冷／温モードの指示）および起動／停止の指示を送る。１次ポンプ２は熱源機１と連動して起動／停止する。
【００１２】
図１０，図１１に示した空調システムにおいて、上述した熱源の総合効率ζは、熱源で処理した熱量をＱ、熱源エネルギー使用量（熱源機１でのガスの消費量（１次エネルギー換算値））をＰＷ１、熱源補機エネルギー使用量（熱源機１・１次ポンプ２での電気の消費量（１次エネルギー換算値））をＰＷ２とした場合、ζ＝ΣＱ／Σ（ＰＷ１＋ＰＷ２）として求められる。
【先行技術文献】
【非特許文献】
【００１３】
【非特許文献１】日本建築学会学術講演梗概集（東北）、２００９年８月、“ソニーシティにおける高効率熱源システム構築”、杉山浩美、「８．空調運転運用改善・実績・評価の欄」。
【発明の概要】
【発明が解決しようとする課題】
【００１４】
しかしながら、熱源の総合効率ζは、あくまでも熱源のエネルギー消費量を評価するための指標であって、空調システムの評価指標としては適さない。
【００１５】
例えば、外気冷房を実施することができない図１０に示した空調システムでは、冬期や中間期において冷水を用いて空調を行う場合、効率よく動く外気条件で熱源機（冷熱源）１を起動するため、年間の熱源の総合効率ζが高くなる。これに対して、外気冷房を実施可能な図１１に示した空調システムでは、冬期や中間期において外気冷房により空調を行う場合、熱源機（冷熱源）１が停止していることが多い。このため、冬期や中間期での外気冷房は、年間の熱源の総合効率ζには加味されず、年間の熱源の総合効率ζが低くなる。
【００１６】
この結果、実際は外気冷房により空調を行う空調システムの方が省エネルギー（以下、省エネと略す）を実施できているにも拘わらず、年間の熱源の総合効率ζでの評価では、外気冷房を実施することができない空調システムの方が優れていると判断されてしまう。
【００１７】
すなわち、熱源の総合効率ζでは、評価指標自体が機器の運転を前提としており、この評価に基づくならば、省エネ対策は機器メーカ側の効率改善・機器運用改善に偏ることになり、機器の専門知識を有さないビルオーナや居住者ができることは少ないことになる。逆に、ビルオーナや居住者が積極的に熱源機（冷熱源）を停止して外気冷房を多く利用して省エネを図ったとしても、年間の熱源の総合効率ζが低下するような評価になるので、適切な省エネ行動を促進するための妨げにもなり得る。
【００１８】
図１２〜図１６に図１１に示した空調システムにおける空調機１２の処理熱量（空調機処理熱量）と制御対象室９の室内負荷との関係を示す。図１２は夏期における空調機処理熱量と室内負荷との関係を示し、図１３は中間期で外気冷房制御がない場合の空調機処理熱量と室内負荷との関係を示し、図１４は中間期で外気冷房制御がありかつ冷水を用いての冷却がある場合の空調機処理熱量と室内負荷との関係を示し、図１５は中間期で外気冷房制御がありかつ冷水を用いての冷却がない場合の空調機処理熱量と室内負荷との関係を示し、図１６は冬期における空調機処理熱量と室内負荷との関係を示している。なお、図１２〜図１６においては、実際にはエンタルピ表記とすべきところであるが、説明の簡略化のため、外気・給気・室内の絶対湿度が等しいとして、温度表記としている。
【００１９】
夏期において、空調機処理熱量は、室内負荷と外気負荷との合計値となる（図１２）。中間期において、外気冷房制御がない場合、外気冷熱が少ないため、空調機処理熱量は外気冷房制御する場合と比較して多くなる（図１３）。中間期において、外気冷房制御があり、かつ冷水を用いての冷却がある場合、空調機処理熱量は室内負荷から外気冷熱を差し引いた残りとなる（図１４）。中間期、外気冷房制御をしない場合（図１３）と、外気冷房制御をする場合（図１４）とを比較すると、外気冷房制御を導入していれば、還気を遮断し、冷涼な外気を多く取り入れることで、室内負荷が同じでも、空調機処理熱量を低減できる。中間期において、外気冷房制御があり、かつ冷水を用いての冷却がない場合、空調機処理熱量は０となる（図１５）。この場合、外気温度が十分低いので、コイルでの冷却なしに、空調機のダンパコントロールのみで、室内負荷を処理することができる。冬期において、空調機処理熱量は、外気温度が低く、室内を冷やし過ぎてしまう分を補うための温熱量となる。なお、図１３〜図１６において、室内負荷は制御対象室９の内と外との間の貫流熱により、図１２の状態よりも減少する。
【００２０】
このように、空調機処理熱量は、室内負荷が同じでも、外気冷房制御により変動する。この例では、空調機処理熱量を軽減するための省エネ対策として外気冷房制御を行うものとしているが、外気負荷削減制御（ＣＯ２制御（ピーク時外気導入量抑制制御））、全熱熱交換器設置などの省エネ対策が行われているような場合でも、空調機処理熱量は変動する。熱源の総合効率ζでは、このような省エネ対策によって変動する空調機処理熱量を考慮していないので、すなわち省エネ対策によって削減された空調機処理熱量を考慮していないので、空調システムの省エネ性を正しく評価することができない。したがって、熱源の総合効率ζは、空調システムの評価指標としては適さない。
【００２１】
本発明は、このような課題を解決するためになされたもので、その目的とするところは、空調システムの省エネ性を正しく評価することが可能な空調システムの総合効率演算装置および方法を提供することにある。
【課題を解決するための手段】
【００２２】
このような目的を達成するために本発明は、少なくとも制御対象室の室内温度と制御対象室へ供給される調和空気の温度と制御対象室へ供給される調和空気の供給量とから制御対象室の室内負荷を算出し、この算出した室内負荷と熱源機，熱源補機および空調機でのエネルギーの使用量の合計値とに基づいて空調システムの総合効率を演算するようにしたものである。
【００２３】
この発明によれば、省エネ対策の有無に影響されない室内負荷が算出され、この算出された室内負荷と熱源機，熱源補機および空調機でのエネルギーの使用量の合計値とに基づいて空調システムの総合効率が演算される。例えば、制御対象室の室内エンタルピと制御対象室へ供給される調和空気の給気エンタルピと制御対象室へ供給される調和空気の供給量とから室内負荷を算出し、この算出した室内負荷と熱源機，熱源補機および空調機でのエネルギーの使用量の合計値とに基づいて空調システムの総合効率を算出する。
【００２４】
本発明において、制御対象室の室内エンタルピと制御対象室へ供給される調和空気の給気エンタルピと制御対象室へ供給される調和空気の供給量とから室内負荷を算出する場合、例えば、制御対象室の室内温度と室内湿度とから室内エンタルピを求め、制御対象室へ供給される調和空気の温度と湿度とから給気エンタルピを求めるようにする。なお、エンタルピの演算が困難であれば、制御対象室の室内温度を室内エンタルピの代用として用い、制御対象室へ供給される調和空気の温度を給気エンタルピの代用として用いるようにしてもよい。また、制御対象室へ供給される調和空気の供給量は、必ずしも計測値でなくてもよく、空調機の定格風量×ＩＮＶ出力（％）などといったような式によって演算されたものを用いるようにしてもよい。
【００２５】
また、空調システム内に熱源機、熱源補機、空調機、制御対象室が複数存在する場合、制御対象室毎の室内負荷を積算して空調システム内の室内負荷の合計値を算出し、この算出した室内負荷の合計値と熱源機，熱源補機および空調機でのエネルギーの使用量の合計値とに基づいて空調システムの総合効率を演算するようにする。また、熱源機がガス式であるような場合、熱源機で使用されるガス消費量（１次エネルギー換算値）を熱源機でのエネルギーの使用量とし、熱源機で使用される電気の消費量（１次エネルギー換算値）は熱源補機でのエネルギーの使用量に含めるようにしてもよく、熱源機で使用されるガスの消費量（１次エネルギー換算値）と電気の使用量（１次エネルギー換算値）とを合わせたものを熱源機でのエネルギーの使用量としてもよい。
【００２６】
また、本発明において、空調機の概念にはＦＣＵ（ファンコイルユニット）や外調機の他、単独の熱源を備えるパッケージ型空気調和器なども含まれるものとする。また、本発明において、室内温度および室内湿度の概念には、室内からの還気の温度および湿度、室内からの排気の温度および湿度なども含まれるものとする。
【発明の効果】
【００２７】
本発明によれば、省エネ対策の有無に影響されない制御対象室の室内負荷を算出し、この算出した室内負荷と熱源機，熱源補機および空調機でのエネルギーの使用量の合計値とに基づいて空調システムの総合効率を演算するようにしたので、省エネ対策によって削減された空調機処理熱量を考慮に入れて、空調システムの省エネ性を正しく評価することが可能となる。
【図面の簡単な説明】
【００２８】
【図１】本発明に係る空調システムの総合効率演算装置を用いた空調システムの一実施の形態を示す計装図である。
【図２】この空調システムにおける総合効率演算装置での１日毎の室内負荷の算出処理を示すフローチャートである。
【図３】この空調システムにおける総合効率演算装置での１日毎のエネルギーの使用量の合計値の算出処理を示すフローチャートである。
【図４】この空調システムにおける総合効率演算装置での総合効率の演算処理を示すフローチャートである。
【図５】この空調システムにおける総合効率演算装置の機能ブロック図である。
【図６】月毎の空調システムの総合効率の推移を室内負荷，１次エネルギー消費，負荷熱量の推移と合わせて示す図である。
【図７】この空調システムの変形例１を示す計装図である。
【図８】この空調システムの変形例２を示す計装図である。
【図９】この空調システムの変形例３を示す計装図である。
【図１０】従来の空調システムの一例として外気冷房を実施することができない空調システムを示す計装図である。
【図１１】従来の空調システムの一例として外気冷房を実施することが可能な空調システムを示す計装図である。
【図１２】夏期における空調機処理熱量と室内負荷との関係を説明する図である。
【図１３】中間期で外気冷房制御がない場合の空調機処理熱量と室内負荷との関係を説明する図である。
【図１４】中間期で外気冷房制御がありかつ冷水を用いての冷却がある場合の空調機処理熱量と室内負荷との関係を説明する図である。
【図１５】中間期で外気冷房制御がありかつ冷水を用いての冷却がない場合の空調機処理熱量と室内負荷との関係を説明する図である。
【図１６】冬期における空調機処理熱量と室内負荷との関係を説明する図である。
【発明を実施するための形態】
【００２９】
以下、本発明の実施の形態を図面に基づいて詳細に説明する。図１は本発明に係る空調システムの総合効率演算装置を用いた空調システムの一実施の形態を示す計装図である。同図において、図１１と同一符号は図１１を参照して説明した構成要素と同一或いは同等構成要素を示し、その説明は省略する。
【００３０】
この空調システムにおいて、空調機１２からの制御対象室９への調和空気の供給路には、その調和空気の温度（給気温度）および湿度（給気湿度）を計測する温度センサ１７および湿度センサ１８と、その調和空気の風量（給気風量）を計測する風量センサ１９とが設けられている。また、制御対象室９には、制御対象室９の室内温度を計測する温度センサ１０に加え、制御対象室９の室内湿度を計測する湿度センサ２０が設けられている。
【００３１】
また、熱源機（ガス式の熱源機）１には、熱源機１でのガスの消費量を計測するガス消費量計量計２１と、熱源機１での電気の消費量を計測する電力計２２とが設けられている。また、１次ポンプ２には、この１次ポンプ２での電気の消費量を計測する電力計２３が設けられており、空調機１２のファン１２−２には、このファン１２−２での電気の消費量を計測する電力計２４が設けられている。
【００３２】
また、この空調システムには、本発明に係る総合効率演算装置の一実施の形態として総合効率演算装置２５が付設されている。この総合効率演算装置２５は、プロセッサや記憶装置からなるハードウェアと、これらのハードウェアと協働して各種機能を実現させるプログラムとによって実現され、本実施の形態特有の機能として総合効率演算機能を有している。以下、図２〜図４に示すフローチャートに従って、総合効率演算装置２５が有する総合効率演算機能について説明する。
【００３３】
〔室内負荷の算出および積算（図２）〕
総合効率演算装置２５は、温度センサ１７からの給気温度の計測値ｔｓｐｖおよび湿度センサ１８からの給気湿度の計測値ｈｓｐｖを取り込み（ステップＳ１０１，Ｓ１０２）、この取り込んだ給気温度の計測値ｔｓｐｖと給気湿度の計測値ｈｓｐｖとから給気エンタルピＥＰOを求める（ステップＳ１０３）。
【００３４】
また、温度センサ１０からの室内温度の計測値ｔｐｖおよび湿度センサ２０からの室内湿度の計測値ｈｐｖを取り込み（ステップＳ１０４，Ｓ１０５）、この取り込んだ室内温度の計測値ｔｐｖと室内湿度の計測値ｈｐｖとから室内エンタルピＥＰIを求める（ステップＳ１０６）。
【００３５】
そして、風量センサ１９からの制御対象室９への給気風量Ｖを取り込み（ステップＳ１０７）、この取り込んだ給気風量ＶとステップＳ１０３で求めた給気エンタルピＥＰOとステップＳ１０６で求めた室内エンタルピＥＰIとから、下記（２）式を用いて現在の室内負荷ＬＲRを算出する（ステップＳ１０８）。
ＬＲR＝｜ＥＰI−ＥＰO｜×Ｖ  ・・・・（２）
【００３６】
総合効率演算装置２５は、このステップＳ１０１〜Ｓ１０８の処理を繰り返しながら、ステップＳ１０８で得られた現在の室内負荷ＬＲRを積算して行き（ステップＳ１０９）、１日の室内負荷ＬＲ（ＬＲ＝ΣＬＲR）を求める。
【００３７】
以下同様にして、総合効率演算装置２５は、ステップＳ１０１〜Ｓ１０９の処理を繰り返し、１日毎の室内負荷ＬＲを求め、メモリに記憶させて行く。
【００３８】
〔エネルギーの使用量の合計値の算出および積算（図３）〕
総合効率演算装置２５は、ガス消費量計量計２１によって計測される熱源機１でのガスの消費量（瞬時値）、電力計２２によって計測される熱源機１での電気の消費量（瞬時値）、電力計２３によって計測される１次ポンプ２での電気の消費量（瞬時値）、電力計２３によって計測される空調機１２におけるファン１２−２での電気の消費量（瞬時値）を取り込む（ステップＳ２０１〜Ｓ２０４）。
【００３９】
そして、ステップＳ２０１で取り込んだ熱源機１でのガスの消費量を１次エネルギーに換算し、この換算した１次エネルギーの値を熱源機での現在のエネルギーの使用量ＰＷ１Rとする（ステップＳ２０５）。また、ステップＳ２０１で取り込んだ熱源機１での電気の消費量とステップＳ２０３で取り込んだ１次ポンプ２での電気の消費量とを加算して１次エネルギーに換算し、この換算した１次エネルギーの値を熱源補機での現在のエネルギーの使用量ＰＷ２Rとする（ステップＳ２０６）。また、ステップＳ２０４で取り込んだ空調機１２におけるファン１２−２での電気の消費量を１次エネルギーに換算し、この換算した１次エネルギーの値を空調機での現在のエネルギーの使用量ＰＷ３Rとする（ステップＳ０７）。
【００４０】
そして、この求めた熱源機でのエネルギーの使用量ＰＷ１Rと熱源補機でのエネルギーの使用量ＰＷ２Rと空調機でのエネルギーの使用量ＰＷ３Rとを加算して、現在のエネルギーの使用量の合計値ＰＷR（ＰＷR＝ＰＷ１R＋ＰＷ２R＋ＰＷ３R）を求める（ステップＳ２０８）。
【００４１】
総合効率演算装置２５は、このステップＳ２０１〜Ｓ２０８の処理を繰り返しながら、ステップＳ２０８で得られた現在のエネルギーの使用量の合計値ＰＷRを積算して行き（ステップＳ２０９）、１日のエネルギーの使用量の合計値ＰＷ（ＰＷ＝ΣＰＷR）を求める。
【００４２】
以下同様にして、総合効率演算装置２５は、ステップＳ２０１〜Ｓ２０９の処理を繰り返し、１日毎のエネルギーの使用量の合計値ＰＷを求め、メモリに記憶させて行く。
【００４３】
〔空調システムの総合効率の演算（図４）〕
オペレータは、空調システムの省エネ性を評価したい場合、評価期間を指定して、総合効率演算装置２５に総合効率の演算指示を与える。例えば、年間の空調システムの省エネ性を評価したい場合、評価期間を１年として、総合効率演算装置２５に総合効率の演算指示を与える。この例では、評価期間を１年とする。
【００４４】
総合効率演算装置２５は、評価期間を指定して総合効率の演算指示が与えられると（ステップＳ３０１のＹＥＳ）、その指定された評価期間内の１日毎の室内負荷ＬＲを積算する（ステップＳ３０２）。また、その指定された評価期間内の１日毎のエネルギーの使用量の合計値ＰＷを積算する（ステップＳ３０３）。
【００４５】
そして、ステップＳ３０２で求めた評価期間内の１日毎の室内負荷ＬＲの積算値（ΣＬＲ）をステップＳ３０３で求めた評価期間内の１日毎のエネルギーの使用量の合計値ＰＷの積算値（ΣＰＷ）で除して、その評価期間内の空調システムの総合効率η（η＝ΣＬＲ／ΣＰＷ）を求める（ステップＳ３０４）。そして、この求めた評価期間内の空調システムの総合効率ηを、ディスプレイに表示する（ステップＳ３０５）。
【００４６】
図５に上述した処理動作を行う総合効率演算装置２５の機能ブロック図を示す。同図において、２５Ａは給気エンタルピ算出部、２５Ｂは室内エンタルピ算出部、２５Ｃは現在の室内負荷算出部、２５Ｄは１日毎の室内負荷積算部、２５Ｅは熱源機での現在のエネルギーの使用量算出部、２５Ｆは熱源補機での現在のエネルギーの使用量算出部、２５Ｇは空調機での現在のエネルギーの使用量算出部、２５Ｈは現在のエネルギーの使用量の合計値算出部、２５Ｉは１日毎のエネルギーの使用量の合計値算出部、２５Ｊは総合効率算出部である。
【００４７】
この機能ブロック図において、給気エンタルピ算出部２５Ａは、給気温度の計測値ｔｓｐｖと給気湿度の計測値ｈｓｐｖとから給気エンタルピＥＰOを求める。室内エンタルピ算出部２５Ｂは、室内温度の計測値ｔｐｖと室内湿度の計測値ｈｐｖとから室内エンタルピＥＰIを求める。現在の室内負荷算出部２５Ｃは、給気エンタルピ算出部２５Ａからの給気エンタルピＥＰOと、室内エンタルピ算出部２５Ｂからの室内エンタルピＥＰIと、制御対象室９への給気風量Ｖとを入力とし、現在の室内負荷ＬＲRをＬＲR＝｜ＥＰI−ＥＰO｜×Ｖとして算出する。１日毎の室内負荷積算部２５Ｄは、現在の室内負荷算出部２５Ｃによって算出された現在の室内負荷ＬＲRを積算し、１日毎の室内負荷ＬＲを求める。
【００４８】
熱源機での現在のエネルギーの使用量算出部２５Ｅは、熱源機１でのガスの消費量を１次エネルギーに換算し、熱源機での現在のエネルギーの使用量ＰＷ１Rとする。熱源補機での現在のエネルギーの使用量算出部２５Ｆは、熱源機１での電気の消費量と１次ポンプ２での電気の消費量とを１次エネルギーに換算し、熱源補機での現在のエネルギーの使用量ＰＷ２Rとする。空調機での現在のエネルギーの使用量算出部２５Ｇは、ファン１２−２での電気の消費量を１次エネルギーに換算し、空調機での現在のエネルギーの使用量ＰＷ３Rとする。現在のエネルギーの使用量の合計値算出部２５Ｈは、熱源機でのエネルギーの使用量ＰＷ１Rと熱源補機でのエネルギーの使用量ＰＷ２Rと空調機でのエネルギーの使用量ＰＷ３Rとを加算し、現在のエネルギーの使用量の合計値ＰＷRを求める。１日毎のエネルギーの使用量の合計値算出部２５Ｉは、現在のエネルギーの使用量の合計値算出部２５Ｈで算出された現在のエネルギーの使用量の合計値ＰＷRを積算し、１日毎のエネルギーの使用量の合計値ＰＷを求める。
【００４９】
総合効率算出部２５Ｊは、評価期間を指定して総合効率の演算指示が与えられると、その指定された評価期間内の１日毎の室内負荷ＬＲを１日毎の室内負荷積算部２５Ｄより取得し、また、その指定された評価期間内の１日毎のエネルギーの使用量の合計値ＰＷを１日毎のエネルギーの使用量の合計値算出部２５Ｉより取得し、その評価期間内の空調システムの総合効率ηをη＝ΣＬＲ／ΣＰＷとして求める。
【００５０】
なお、この実施の形態では、瞬時値から求めた１日毎のエネルギーの使用量の合計値を評価期間内で積算してΣＰＷを求めるようにしたが、エネルギー計量積算値から評価期間内のエネルギーの使用量の合計値ΣＰＷを求めるようにしてもよい。
【００５１】
この空調システムの総合効率ηは、従来の熱源の総合効率ζと比較し、次のような特徴がある。空調システムの総合効率ηは、η＝Σ室内負荷／Σ（熱源機でのエネルギー使用量＋熱源補機でのエネルギー使用量＋空調機でのエネルギー使用量）として得られる。この場合、エネルギーの使用量に空調機でのエネルギーの使用量が加えられているので、空調システム全体の効率が計算されるものとなる。また、「熱源で処理した熱量」ではなく、「室内負荷」を演算に用いているので、外気冷房制御によって削減された空調機処理熱量を考慮に入れて、空調システムの省エネ性を正しく評価することができるようになる。
【００５２】
すなわち、空調システムの総合効率ηを算出する際、分母に「使ったエネルギー」、分子に「どれだけ空調をしたか」という値を入れることで、外気冷房制御（省エネ制御）を考慮した評価を行うことが可能となる。なお、外気冷房制御だけではなく、外気負荷削減制御（ＣＯ２制御（ピーク時外気導入量抑制制御））、全熱熱交換器設置などの省エネ対策を行っているような場合でも、その省エネ対策によって削減された空調機処理熱量を考慮に入れて、空調システムの省エネ性を正しく評価することができる。
【００５３】
空調システムにおいて、室内負荷は、外気冷房やＣＯ２制御といった、外気可変させるシステムにおいても、その値が変わらないため、「どれだけ空調したか？」という値には、都合がよい。本実施の形態では、この室内負荷を（｜室内エンタルピ−給気エンタルピ｜×給気風量）」として、給気温度，給気湿度，室内温度，室内湿度，給気風量から求めている。なお、給気風量は、必ずしも計測値でなくてもよく、空調機１２の定格風量（ファン１２−２の定格風量）×ＩＮＶ出力（％）などといったような式によって演算されたものを用いるようにしてもよい。
【００５４】
また、エンタルピの演算が困難であれば、制御対象室９の室内温度を室内エンタルピの代用として用い、制御対象室９へ供給される調和空気の温度（給気温度）を給気エンタルピの代用として用いるようにしてもよい。すなわち、室内温度と給気温度との温度差をエンタルピ差として代用し、この温度差によって代用されるエンタルピ差から室内負荷を求めるようにしてもよい。一般オフィスなどは、室内に水分発生源が少ないため、温度差で代用しても問題ない建物は多くある。
【００５５】
このようにして、本実施の形態では、空調システムの評価指標として室内負荷から総合効率ηを求めることにより、機器の停止、積極的な外気冷房の利用といった管理者・居住者の省エネ努力が反映されるものとなり、オーナや管理者が省エネ推進の効果を確認でき、管理者・居住者の省エネ意欲を推進することができるようになる。例えば、外気冷房の切り換えがユーザインタフェースで行うことができるような空調システムにおいて、積極的に居住者が外気冷房利用を優先（努力＆我慢）した場合、熱源の総合効率ζには反映されないが、空調システムの総合効率ηには反映され、きちんと評価されることになる。
【００５６】
図６に月毎の空調システムの総合効率ηの推移を例示する。同図では、折れ線のグラフＩとして、月毎の総合効率ηの推移が示されている。なお、参考として示した棒グラフIIは室内負荷、棒グラフIIIは１次エネルギー消費（エネルギーの使用量の合計値）、棒グラフIVは負荷熱量の月毎の推移を示す。総合効率ηは、外気負荷を処理しなければならない夏期では低下するが、逆に外気により空調機処理熱量を軽減できる季節には、向上する。図６では、熱源機を停止し、空調機の運転だけで空調している１２月〜３月に、総合効率ηが大きく向上していることが分かる。
【００５７】
〔空調システムの変形例１〕
図１には空調システムの単純な例を示した。図７に図１に示した空調システムの変形例（変形例１）を示す。この空調システムの変形例１では、空調機１２に加湿器（水加湿）１２−３が設けられており、加湿弁２６を介して水分が加湿器１２−３に供給される。空調制御装置１６は、湿度センサ２０からの制御対象室９の室内湿度の計測値ｈｐｖを入力とし、この室内湿度の計測値ｈｐｖを室内湿度の設定値ｈｓｐに一致させるように、加湿弁２６を介する加湿器１２−３への水分の量を制御する。
【００５８】
また、この空調システムでは、熱源機１に対して冷却塔２７が設けられており、冷却塔２７によって生成される冷却水が冷却水ポンプ２８によって熱源機１に供給される。冷却塔２７には冷却ファン２７−１が設けられており、温度センサ２９によって計測される熱源機１への冷却水の温度ｔｃｐｖを設定温度ｔｃｓｐとするように、コントローラ３０によって冷却ファン２７−１の回転数が制御される。また、冷却水ポンプ２８は、熱源機１が冷熱源として起動された場合に、これに連動して起動される。
【００５９】
この空調システムにおいて、総合効率演算装置２５は、総合効率ηをη＝Σ室内負荷／Σ（熱源機でのエネルギー使用量＋熱源補機でのエネルギー使用量＋空調機でのエネルギー使用量）として求めるが、熱源補機でのエネルギー使用量には、電力計３１によって計測される冷却水ポンプ２８での電気の使用量（１次エネルギー換算値）と、電力計３２によって計測される冷却ファン２７−１での電気の使用量（１次エネルギー換算値）とが加えられる。
【００６０】
〔空調システムの変形例２〕
図８に制御対象室９に対して可変風量調節器（ＶＡＶ）が複数設けられている例を示す。この例では、制御対象室９に対してＶＡＶ３３−１〜３３−３が設けられ、ＶＡＶ３３−１によって制御対象室９内の左側のゾーンＺ１への調和空気の供給が行われ、ＶＡＶ３３−２によって制御対象室９内の中央のゾーンＺ２への調和空気の供給が行われ、ＶＡＶ３３−３によって制御対象室９内の右側のゾーンＺ３への調和空気の供給が行われる。
【００６１】
この空調システムにおいて、ゾーンＺ１には温度センサ１０−１が設けられており、温度センサ１０−１によって計測されるゾーンＺ１内の室内温度ｔｐｖ１を設定温度ｔｓｐ１に一致させるように、ＶＡＶ３３−１によってゾーンＺ１への調和空気の供給量（給気風量）が制御される。ゾーンＺ２には温度センサ１０−２が設けられており、温度センサ１０−２によって計測されるゾーンＺ２内の室内温度ｔｐｖ２を設定温度ｔｓｐ２に一致させるように、ＶＡＶ３３−２によってゾーンＺ２への調和空気の供給量（給気風量）が制御される。ゾーンＺ３には温度センサ１０−３が設けられており、温度センサ１０−３によって計測されるゾーンＺ３内の室内温度ｔｐｖ３を設定温度ｔｓｐ３に一致させるように、ＶＡＶ３３−３によってゾーンＺ３への調和空気の供給量（給気風量）が制御される。
【００６２】
また、この空調システムにおいて、ゾーンＺ１，Ｚ２，Ｚ３への調和空気の供給路には、ゾーンＺ１，Ｚ２，Ｚ３への調和空気の供給量を給気風量Ｖ１，Ｖ２，Ｖ３として各個に計測する風量センサ１９−１，１９−２，１９−３が設けられている。また、制御対象室９からの空調機１２への還気通路には、制御対象室９からの還気ＲＡの湿度（還気湿度）を計測する湿度センサ３４が設けられている。
【００６３】
この空調システムにおいて、総合効率演算装置２５は、総合効率ηをη＝Σ室内負荷／Σ（熱源機でのエネルギー使用量＋熱源補機でのエネルギー使用量＋空調機でのエネルギー使用量）として求めるが、この時の室内負荷は、ＶＡＶ３３−１の担当エリアであるゾーンＺ１の室内負荷ＬＲ１と，ＶＡＶ３３−２の担当エリアであるゾーンＺ２の室内負荷ＬＲ２と，ＶＡＶ３２−３の担当エリアであるゾーンＺ３の室内負荷ＬＲ３との加算値とする。
【００６４】
〔室内負荷ＬＲ１の算出〕
総合効率演算装置２５において、ＶＡＶ３３−１の担当エリアであるゾーンＺ１の室内負荷ＬＲ１の算出は、第１の室内負荷算出部２５−１において行う。この場合、第１の室内負荷算出部２５−１は、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ１０−１からの室内温度の計測値ｔｐｖ１および湿度センサ３４からの還気湿度の計測値ｈｒｐｖを取り込み、この取り込んだ室内温度の計測値ｔｐｖ１と還気湿度の計測値ｈｒｐｖとからゾーンＺ１における室内エンタルピＥＰ１Iを求める。そして、風量センサ１９−１からのゾーンＺ１への給気風量Ｖ１を取り込み、ＬＲ１＝｜ＥＰ１I−ＥＰO｜×Ｖ１としてゾーンＺ１の室内負荷ＬＲ１を求める。
【００６５】
〔室内負荷ＬＲ２の算出〕
総合効率演算装置２５において、ＶＡＶ３３−２の担当エリアであるゾーンＺ２の室内負荷ＬＲ２の算出は、第２の室内負荷算出部２５−２において行う。この場合、第２の室内負荷算出部２５−２は、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ１０−２からの室内温度の計測値ｔｐｖ２および湿度センサ３４からの還気湿度の計測値ｈｒｐｖを取り込み、この取り込んだ室内温度の計測値ｔｐｖ２と還気湿度の計測値ｈｒｐｖとからゾーンＺ２における室内エンタルピＥＰ２Iを求める。そして、風量センサ１９−２からのゾーンＺ２への給気風量Ｖ２を取り込み、ＬＲ２＝｜ＥＰ２I−ＥＰO｜×Ｖ２としてゾーンＺ２の室内負荷ＬＲ２を求める。
【００６６】
〔室内負荷ＬＲ３の算出〕
総合効率演算装置２５において、ＶＡＶ３３−３の担当エリアであるゾーンＺ３の室内負荷ＬＲ３の算出は、第３の室内負荷算出部２５−３において行う。この場合、第３の室内負荷算出部２５−３は、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ１０−３からの室内温度の計測値ｔｐｖ３および湿度センサ３４からの還気湿度の計測値ｈｒｐｖを取り込み、この取り込んだ室内温度の計測値ｔｐｖ３と還気湿度の計測値ｈｒｐｖとからゾーンＺ３における室内エンタルピＥＰ３Iを求める。そして、風量センサ１９−３からのゾーンＺ３への給気風量Ｖ３を取り込み、ＬＲ３＝｜ＥＰ３I−ＥＰO｜×Ｖ３としてゾーンＺ３の室内負荷ＬＲ３を求める。
【００６７】
〔空調システムの変形例３〕
図９に制御対象室９に対して空調機が複数設けられている例を示す。この例では、制御対象室９に対して、空調機としてＦＣＵ５ＬとＦＣＵ５Ｒと外調機３５とが設けられている。ＦＣＵ５Ｌは制御対象室９の左側のゾーンＺＬに対して設けられており、ＦＣＵ５Ｒは制御対象室９の右側のゾーンＺＲに対して設けられている。外調機３５は制御対象室９の全体に対して設けられている。
【００６８】
この空調システムにおいて、ゾーンＺＬには温度センサ１０Ｌが設けられており、温度センサ１０Ｌによって計測されるゾーンＺＬ内の室内温度ｔLｐｖを設定温度ｔLｓｐに一致させるように、ＦＣＵ５ＬからのゾーンＺＬへの調和空気の温度および風量（給気風量）が制御される。ゾーンＺＲには温度センサ１０Ｒが設けられており、温度センサ１０Ｒによって計測されるゾーンＺＲ内の室内温度ｔRｐｖを設定温度ｔRｓｐに一致させるように、ＦＣＵ５ＲからのゾーンＺＲへの調和空気の温度および風量（給気風量）が制御される。
【００６９】
また、この空調システムにおいて、ゾーンＺＬ，ＺＲへの調和空気の供給路には、ゾーンＺＬ，ＺＲへの調和空気の供給量を給気風量ＶＬ，ＶＲとして各個に計測する風量センサ１９Ｌ，１９Ｒが設けられている。また、制御対象室９からの外調機３５からの調和空気の供給路には、制御対象室９への調和空気の温度および湿度を計測する温度センサ１７および湿度センサ１８と、その調和空気の風量を給気風量Ｖとして計測する風量センサ１９とが設けられている。また、制御対象室９からの排気通路には、制御対象室９から排出される排気ＥＸの温度（排気温度）および湿度（排気湿度）を計測する温度センサ３６および湿度センサ３７が設けられている。
【００７０】
なお、外調機３５は冷温水コイル３５−１とファン３５−２とを備え、外気ダンパ１４を介して外気ＯＡを取り入れて、制御対象室９へ供給する外気の温度を調整する。本実施の形態では、この外調機３５によって温度調整された外気ＯＡも調和空気と呼ぶ。
【００７１】
また、外調機３５には、ファン３５−２での電気の消費量を計測する電力計３８が設けられている。また、ＦＣＵ５Ｌ，５Ｒは冷温水コイル５Ｌ１，５Ｒ１とファン５Ｌ２，５Ｒ２とを備えており、ファン５Ｌ２，５Ｒ２での電気の消費量を計測する電力計３９Ｌ，３９Ｒが設けられている。
【００７２】
この空調システムにおいて、総合効率演算装置２５は、総合効率ηをη＝Σ室内負荷／Σ（熱源機でのエネルギー使用量＋熱源補機でのエネルギー使用量＋空調機でのエネルギー使用量）として求めるが、この時の室内負荷は、ＦＣＵ５Ｌの担当エリアであるゾーンＺＬの室内負荷ＬＲLとＦＣＵ５Ｒの担当エリアであるゾーンＺＲの室内負荷ＬＲRと外調機３５の担当エリアである制御対象室９全体の室内負荷ＬＲLRとの加算値とする。
【００７３】
〔室内負荷ＬＲLの算出〕
総合効率演算装置２５において、ＦＣＵ５Ｌの担当エリアであるゾーンＺＬの室内負荷ＬＲLは、第１の室内負荷算出部２５Ｌにおいて行う。この場合、第１の室内負荷算出部２５Ｌは、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ１０Ｌからの室内温度の計測値ｔLｐｖおよび湿度センサ３７からの排気湿度の計測値ｈｅｐｖを取り込み、この取り込んだ室内温度の計測値ｔLｐｖと排気湿度の計測値ｈｅｐｖとからゾーンＺＬにおける室内エンタルピＥＰＬIを求める。そして、風量センサ１９ＬからのゾーンＺＬへの給気風量ＶＬを取り込み、ＬＲL＝｜ＥＰＬI−ＥＰO｜×ＶＬとしてゾーンＺＬの室内負荷ＬＲLを求める。
【００７４】
〔室内負荷ＬＲRの算出〕
総合効率演算装置２５において、ＦＣＵ５Ｒの担当エリアであるゾーンＺＲの室内負荷ＬＲRは、第２の室内負荷算出部２５Ｒにおいて行う。この場合、第２の室内負荷算出部２５Ｒは、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ１０Ｒからの室内温度の計測値ｔRｐｖおよび湿度センサ３７からの排気湿度の計測値ｈｅｐｖを取り込み、この取り込んだ室内温度の計測値ｔRｐｖと排気湿度の計測値ｈｅｐｖとからゾーンＺＲにおける室内エンタルピＥＰＲIを求める。そして、風量センサ１９ＲからのゾーンＺＲへの給気風量ＶＲを取り込み、ＬＲR＝｜ＥＰＲI−ＥＰO｜×ＶＲとしてゾーンＺＲの室内負荷ＬＲRを求める。
【００７５】
〔室内負荷ＬＲLRの算出〕
総合効率演算装置２５において、外調機３５が担当する制御対象室９全体の室内負荷ＬＲLRは、第３の室内負荷算出部２５ＬＲにおいて行う。この場合、第３の室内負荷算出部２５ＬＲは、温度センサ１７からの給気温度の計測値ｔｓｐｖおよび湿度センサ１８からの給気湿度の計測値ｈｓｐｖを取り込み、この取り込んだ給気温度の計測値ｔｓｐｖと給気湿度の計測値ｈｓｐｖとから給気エンタルピＥＰOを求める。また、温度センサ３６からの排気温度の計測値ｔｅｐｖおよび湿度センサ３７からの排気湿度の計測値ｈｅｐｖを取り込み、この取り込んだ排気温度の計測値ｔｅｐｖと排気湿度の計測値ｈｅｐｖとから制御対象室９全体における室内エンタルピＥＰIを求める。そして、風量センサ１９からの制御対象室９への給気風量Ｖを取り込み、ＬＲLR＝｜ＥＰI−ＥＰO｜×Ｖとして制御対象室９全体の室内負荷ＬＲLRを求める。
【００７６】
また、この空調システムにおいて、総合効率演算装置２５は、総合効率ηをη＝Σ室内負荷／Σ（熱源機でのエネルギー使用量＋熱源補機でのエネルギー使用量＋空調機でのエネルギー使用量）として求めるが、熱源補機でのエネルギー使用量には、電力計３８によって計測される外調機３５のファン３５−２での電気の使用量（１次エネルギー換算値）と、電力計３９Ｌ，３９Ｒによって計測されるＦＣＵ５Ｌ，５Ｒにおけるファン５Ｌ２，５Ｒ２での電気の使用量（１次エネルギー換算値）とを加える。
【００７７】
なお、図９において、冷温水コイルを備えたＦＣＵ５Ｌ，５Ｒに代えて、単独の熱源を備えるパッケージ型空気調和器を設けるものとしてもよい。このようなパッケージ型空気調和器を設けた空調システムでは、そのパッケージ型空気調和器の熱源での電気の使用量を、総合効率ηを算出する際の熱源機でのエネルギー使用量に加えるようにする。
【００７８】
また、上述した実施の形態では、説明を簡単とするために空調システムを、図１や図７に示すようなタイプ（Ａタイプ）と、図８に示すようなタイプ（Ｂタイプ）と、図９に示すようなタイプ（Ｃタイプ）とに分けて説明したが、高層ビルなどで採用されるセントラル空調システムなどではＡタイプ，Ｂタイプ，Ｃタイプなど各種のタイプが混在する。このような空調システムでは、建物全体の室内負荷を計算するために、各ＶＡＶ・各空調機・各外調機・各ＦＣＵなど、負荷側の機器すべてで室内負荷を求めて、積算するようにする。また、実際の空調システムには熱源機も複数設けられ、熱源補機や空調機でのエネルギーの使用量を求める場合と同様にして、熱源機すべてでエネルギーの使用量を求めて、積算するようにする。
【００７９】
また、上述した実施の形態では、熱源機１で使用されるガス消費量（１次エネルギー換算値）を熱源機１でのエネルギーの使用量とし、熱源機１で使用される電気の消費量（１次エネルギー換算値）を熱源補機でのエネルギーの使用量に含めるようにしたが、熱源機１で使用されるガスの消費量（１次エネルギー換算値）と電気の使用量（１次エネルギー換算値）とを合わせたものを熱源機１でのエネルギーの使用量としてもよい。また、上述した実施の形態では、熱源機１としてガス式の熱源機を用いるものとしたが、電気式の熱源機を用いるようにしてもよい。電気式の熱源機の場合、その熱源機で使用される電気の消費量（１次エネルギー換算値）が熱源機でのエネルギーの使用量となる。
【００８０】
また、上述した実施の形態では、総合効率演算装置２５において、室内負荷の演算を行うようにしたが、空調制御装置１６で室内負荷の演算を行うようにし、その演算した室内負荷を総合効率演算装置２５へ送るようにしてもよい。この場合、総合効率演算装置２５での機能の一部が空調制御装置１６に分担された形となり、総合効率演算装置２５と空調制御装置１６とで本発明でいう総合効率演算装置が構成されるものとなる。
【産業上の利用可能性】
【００８１】
本発明の空調システムの総合効率演算装置および方法は、室内負荷から空調システムの総合効率を演算する空調システムの総合効率演算装置および方法として、セントラル空調システムなど各種の空調システムに利用することが可能である。
【符号の説明】
【００８２】
１…熱源機（冷温水機）、２…１次ポンプ、３…往ヘッダ、４…往水管路、５，５Ｌ，５Ｒ…ＦＣＵ（ファンコイルユニット）、５−１，５Ｌ１，５Ｒ１…冷温水コイル、５−２，５Ｌ２，５Ｒ２…ファン、５−３…冷温水弁、６…還水管路、７…還ヘッダ、８…バイパス管路、９…制御対象室、１０，１０−１〜１０−３，１０Ｌ，１０Ｒ…温度センサ、１２…空調機、１２−１…冷温水コイル、１２−２…ファン、１２−３…加湿器、１３…冷温水弁、１４…外気ダンパ、１５…還気ダンパ、１６…空調制御装置、１７…温度センサ、１８…湿度センサ、１９，１９−１〜１９−３，１９Ｌ，１９Ｒ…風量センサ、２０…湿度センサ、２１…ガス消費量計量計、２２，２３，２４…電力計、２５…総合効率演算装置、２５−１，２５Ｌ…第１の室内負荷算出部、２５−２，２５Ｒ…第２の室内負荷算出部、２５−３，２５ＬＲ…第３の室内負荷算出部、２５Ａ…給気エンタルピ算出部、２５Ｂ…室内エンタルピ算出部、２５Ｃ…現在の室内負荷算出部、２５Ｄ…１日毎の室内負荷積算部、２５Ｅ…熱源機での現在のエネルギーの使用量算出部、２５Ｆ…熱源補機での現在のエネルギーの使用量算出部、２５Ｇ…空調機での現在のエネルギーの使用量算出部、２５Ｈ…現在のエネルギーの使用量の合計値算出部、２５Ｉ…１日毎のエネルギーの使用量の合計値算出部、２５Ｊ…総合効率算出部、２６…加湿弁、２７…冷却塔、２７−１…冷却ファン、２８…冷却水ポンプ、２９…温度センサ、３０…コントローラ、３１，３２…電力計、３３−１，３３−２，３３−３…可変風量調節器（ＶＡＶ）、３４…湿度センサ、３５…外調機、３５−１…冷温水コイル、３５−２…ファン、３６…温度センサ、３７…湿度センサ、３８，３９Ｌ，３９Ｒ…電力計、Ｚ１〜Ｚ３，ＺＬ，ＺＲ…ゾーン。
【図１】
2012042129.tif 000003
【図２】
2012042129.tif 000004
【図３】
2012042129.tif 000005
【図４】
2012042129.tif 000006
【図５】
2012042129.tif 000007
【図６】
2012042129.tif 000008
【図７】
2012042129.tif 000009
【図８】
2012042129.tif 000010
【図９】
2012042129.tif 000011
【図１０】
2012042129.tif 000012
【図１１】
2012042129.tif 000013
【図１２】
2012042129.tif 000014
【図１３】
2012042129.tif 000015
【図１４】
2012042129.tif 000016
【図１５】
2012042129.tif 000017
【図１６】
2012042129.tif 000018